(57)【要約】【課題】部品交換されたことにより部品情報を取得することができるようにした情報処理装置の部品交換の情報を取得してその履歴管理を行うこと。【解決手段】情報処理装置１１と部品交換履歴管理装置１２とが各装置の部品情報送受信部１１３、１２７により接続されて構成される。情報処理装置１１は、部品交換が発生すると自装置の部品情報と日付情報とを取得し、その情報を部品交換履歴管理装置１２へ送信する。部品交換履歴管理装置１２は、受け取った情報を基に部品履歴マスタ１２１、部品情報マスタ１２２を参照することにより交換された部品を特定し、交換部品の部品情報を部品履歴マスタ１２１、部品情報マスタ１２２へ適切に書き込んで管理する。【選択図】図１
2009009492.tif 000002
【特許請求の範囲】
【請求項１】
部品交換可能な複数の部品により構成された情報処理装置において、該装置の再起動を検知したとき、あるいは、部品の抜き差しが行われたことを検知したとき、前記情報処理装置の部品の交換がされたと検知する部品交換検知手段と、前記部品交換検知手段により部品の交換がされたと検知されたとき、部品識別コードを含む全部品の部品情報を取得する部品情報取得手段と、取得した前記部品情報を、前記情報処理装置に接続された外部の部品交換履歴管理装置へ送信する部品情報送信手段とを備えたことを特徴とする情報処理装置。
【請求項２】
前記情報処理装置を構成する複数の部品のそれぞれには、部品情報をメモリに格納しているＩＣタグが取り付けられており、前記部品情報取得手段は、前記ＩＣタグ、ＲＦＩＤ等から部品情報を取得することを特徴とする請求項１記載の情報処理装置。
【請求項３】
情報処理装置の部品交換履歴管理装置において、請求項１または２記載の情報処理装置から部品情報を受信する部品情報受信手段と、部品識別コードと交換履歴を含む部品情報を記憶する部品情報記憶手段と、部品交換された部品毎にそれぞれの部品識別コード、交換履歴、部品交換した交換日を含む部品履歴情報を記憶する部品履歴記憶手段と、前記部品情報記憶手段から前記部品情報の部品識別コードを持つ部品情報を取り出し、前記部品情報記憶手段から取り出した部品情報と前記受信した部品情報とを比較して交換された部品であるか否かを特定する部品交換特定手段と、前記部品情報を部品履歴として前記部品履歴記憶手段に書き込む部品履歴情報更新手段と、前記部品履歴記憶手段から前記部品情報の識別コードと過去のある時点の変更履歴を持つ部品情報を取り出し、部品履歴記憶手段から読み出した部品情報を前記部品情報記憶手段に書き込む部品情報更新手段とを備えることを特徴とする部品交換履歴管理装置。
【請求項４】
部品交換可能な複数の部品により構成された情報処理装置の部品交換の履歴を管理する部品交換履歴管理システムにおいて、前記情報処理装置は、部品交換の履歴を管理する部品交換履歴管理装置に通信回線を介して接続されており、情報装置の再起動を検知したとき、あるいは、部品の抜き差しが行われたことを検知したとき、前記情報処理装置の部品の交換がされたと検知する部品交換検知手段と、前記部品交換検知手段により部品の交換がされたと検知されたとき、部品識別コードを含む全部品の部品情報を取得する部品情報取得手段と、取得した前記部品情報を、前記情報処理装置に接続された外部の部品交換履歴管理装置へ送信する部品情報送信手段とを備えて構成され、前記部品交換履歴管理装置は、前記情報処理装置から部品情報を受信する部品情報受信手段と、部品識別コードと交換履歴を含む部品情報を記憶する部品情報記憶手段と、部品交換された部品毎にそれぞれの部品識別コード、交換履歴、部品交換した交換日を含む部品履歴情報を記憶する部品履歴記憶手段と、前記部品情報記憶手段から前記部品情報の部品識別コードを持つ部品情報を取り出し、前記部品情報記憶手段から取り出した部品情報と前記受信した部品情報とを比較して交換された部品であるか否かを特定する部品交換特定手段と、前記部品情報を部品履歴として前記部品履歴記憶手段に書き込む部品履歴情報更新手段と、前記部品履歴記憶手段から前記部品情報の識別コードと過去のある時点の変更履歴を持つ部品情報を取り出し、部品履歴記憶手段から読み出した部品情報を前記部品情報記憶に書き込む部品情報更新手段とを備えて構成されたことを特徴とする部品交換履歴管理システム。
【発明の詳細な説明】
【技術分野】
【０００１】
本発明は、情報処理装置、部品交換履歴管理装置及びシステムに係り、特に、故障による修理や機能向上のための部品交換が可能な情報処理装置と、部品交換の情報を取得して履歴の管理を行う部品交換履歴管理装置及びシステムに関する。
【背景技術】
【０００２】
一般に、情報処理装置等の製品は、製品元（組み立てメーカを含む）で製造されてユーザに渡された後、部品の故障による修理や機能向上のため部品の交換等が行われることがある。そして、製品元は、その製品の製品種別毎に構成部品の管理を行っている。しかし、製品元は、製品を一旦ユーザに売却した後、その製品の修理、機能向上のための構成変更等について、ユーザ等からの情報の提供がない限り、これらの構成部品の管理を行うことができない。
【０００３】
ユーザ毎の製品の構成を管理することを可能とした従来技術として、例えば、特許文献１等に記載された技術が知られている。この従来技術は、ユーザ毎の製品構成の管理だけではなく、製品を構成する部品のそれぞれについてまで、製品構成を管理するというものである。
【特許文献１】特開２００７−０３５０６１号公報
【発明の開示】
【発明が解決しようとする課題】
【０００４】
前述した従来技術は、ユーザ毎の製品で最新の製品構成を管理することを目的としているため、部品交換を行った際、最後に交換した部品情報のみを管理するというものである。このため、前述の従来技術は、部品交換による過去の部品の交換履歴を把握することができないという問題点を有している。過去の部品の交換履歴を把握する理由は、設計情報管理等の業務において、ある部品の最新の履歴番号、ある部品の過去に交換した回数、過去のある日時のある部品の部品情報等を知ることにより、ある製品の障害状況を把握することができ予防処置等を行うために利用することができるからである。
【０００５】
本発明の目的は、前述したような従来技術の問題点を解決し、部品交換されたことにより部品情報を取得することができるようにした情報処理装置、部品交換の情報を取得して履歴管理を行う部品交換履歴管理装置及びシステムを提供することにある。
【課題を解決するための手段】
【０００６】
本発明によれば前記目的は、部品交換可能な複数の部品により構成された情報処理装置において、該装置の再起動を検知したとき、あるいは、部品の抜き差しが行われたことを検知したとき、前記情報処理装置の部品の交換がされたと検知する部品交換検知手段と、前記部品交換検知手段により部品の交換がされたと検知されたとき、部品識別コードを含む全部品の部品情報を取得する部品情報取得手段と、取得した前記部品情報を、前記情報処理装置に接続された外部の部品交換履歴管理装置へ送信する部品情報送信手段とを備えたことにより達成される。
【０００７】
また、前記目的は、情報処理装置の部品交換履歴管理装置において、前記情報処理装置から部品情報を受信する部品情報受信手段と、部品識別コードと交換履歴を含む部品情報を記憶する部品情報記憶手段と、部品交換された部品毎にそれぞれの部品識別コード、交換履歴、部品交換した交換日を含む部品履歴情報を記憶する部品履歴記憶手段と、前記部品情報記憶手段から前記部品情報の部品識別コードを持つ部品情報を取り出し、前記部品情報記憶手段から取り出した部品情報と前記受信した部品情報とを比較して交換された部品であるか否かを特定する部品交換特定手段と、前記部品情報を部品履歴として前記部品履歴記憶手段に書き込む部品履歴情報更新手段と、前記部品履歴記憶手段から前記部品情報の識別コードと過去のある時点の変更履歴を持つ部品情報を取り出し、部品履歴記憶手段から読み出した部品情報を前記部品情報記憶手段に書き込む部品情報更新手段とを備えることにより達成される。
【発明の効果】
【０００８】
本発明によれば、情報処理装置の部品が交換されたときに部品情報を取得することができるので、部品交換の履歴管理を容易に行うことができる。
【発明を実施するための最良の形態】
【０００９】
以下に、本発明による情報処理装置の部品交換履歴管理システムの実施形態を図面により詳細に説明する。
【００１０】
図１は本発明の一実施形態による情報処理装置の部品交換履歴管理システムの構成を示すブロック図である。
【００１１】
本発明の実施形態による情報処理装置の部品交換履歴管理システムは、図１に示すように、部品交換の履歴が管理される被管理装置としての情報処理装置１１と、情報処理装置１１における部品交換の履歴を管理する部品交換履歴管理装置１２とが、図示しないネットワーク等の通信路を介して接続されて構成される。図１には、被管理装置としての情報処理装置１１を１台だけ示しているが、情報処理装置１１の多数をシステムに備えることにより、部品交換履歴管理装置１２は、複数台の情報処理装置１１について、その部品交換の履歴を管理することができる。
【００１２】
被管理装置としての情報処理装置１１は、ＰＣ等に代表されるようなＣＰＵ、主メモリ、ＨＤＤ等による記憶装置、表示装置、キーボード、マウス等の入力装置を備えた構成を持つものであり、本発明のために、その内部に、部品交換検知部１１１、部品情報取得部１１２、部品情報送信部１１３が設けられている。
【００１３】
また、部品交換履歴管理装置１２は、図示していないが、ＣＰＵ、主メモリ、ＨＤＤ等による記憶装置、表示装置、キーボード、マウス等の入力装置を備える情報処理装置内に構築される。そして、部品交換履歴管理装置１２は、部品履歴マスタ１２１、部品情報マスタ１２２を記憶装置内に備えると共に、主メモリ内にロードされて制御部１２６としてのＣＰＵにより実行されることにより、部品交換特定部１２３、部品履歴マスタ更新部１２４、部品情報マスタ更新部１２５の各機能を構築するプログラムが記憶装置内に格納されている。
【００１４】
図２は被管理装置としての情報処理装置１１の部品構成の例を示す図である。図２に示すように、情報処理装置１１は、部品「マザーボード」２２、部品「Ｉ／Ｏボード」２３、部品「電源０」２４、部品「電源１」２５から構成され、部品「マザーボード」２２は、部品「ＣＰＵ０」２２１、部品「ＣＰＵ１」２２２、部品「メモリ０」２２３、部品「メモリ１」２２４が搭載されているものとする。
【００１５】
各部品のそれぞれには、部品を識別する部品番号、部品名、品番、製造番号等の部品に関する情報である部品情報をメモリに格納しているＲＦＩＤ等のＩＣタグが取り付けられており、部品情報取得部１１２から部品情報を読み取ることが可能に構成されている。
【００１６】
部品交換検知部１１１は、情報処理装置１１の部品が交換されたことを検知した場合及び情報処理装置が再起動したことを検知した場合に、部品情報取得部１１２へ情報処理装置の全部品の部品情報と日付情報の取得指示をする。
【００１７】
部品情報取得部１１２は、部品交換検知部１１１の指示により情報処理装置１１の全部品の部品情報を部品に取り付けられたＲＦＩＤ等のＩＣタグから取得すると共に、情報処理装置が有する時計から日付情報を取得し、部品情報と日付情報とを部品情報送信部１１３に渡す。
【００１８】
部品情報送信部１１３は、部品情報取得部１１２から部品情報と日付情報を受け取り、自情報処理装置の装置識別情報と共に、受け取った部品情報と日付情報とを部品交換履歴管理装置１２の部品情報受信部１２７に製品情報として送信する。
【００１９】
部品履歴マスタ１２１は、部品を識別する部品番号と、部品の交換履歴を示す情報と、部品の交換履歴を示す交換履歴番号から構成される２次元のデータテーブルである。交換された部品は、このデータテーブルの１行のデータに対応し、部品番号と交換履歴番号により特定される。
【００２０】
なお、図２に示している部品交換前の部品履歴マスタ２２５、部品交換後の部品履歴マスタ２３２は、情報処理装置１１内の部品「ＣＰＵ１」２２２が交換されたものとして、部品交換履歴管理装置１２内の部品履歴マスタ１２１の変更前後の状況を示したものである。
【００２１】
次に、部品交換履歴管理装置１２の各マスタ１２１、１２２のデータ構成及び各機能部の機能の概要について説明する。
【００２２】
図３は部品履歴マスタ１２１の構成例を示す図である。図３に示す部品履歴マスタ１２１は、図２に示す情報処理装置１１に対応する部品履歴マスタの一例であり、部品を識別する部品番号３０２、部品名３０３、部品の品番３０４、部品の製造番号３０５、部品の交換日を示す交換日３０６、部品の交換履歴を示す交換履歴番号３０７からなるレコードを複数格納して構成される２次元のデータテーブルである。この部品履歴マスタ１２１には、部品の交換が行われると、新たなレコードが作成されて格納される。図３に示す例は、全てのレコードの交換履歴番号３０７が“１”とされており、情報処理装置１１が作成された直後の状態を示している。
【００２３】
図４は部品情報マスタ１２２の構成例を示す図である。図４に示す部品情報マスタ１２２は、部品を識別する部品番号と、部品の製造番号等の部品に関する情報と、部品の交換履歴を示す交換履歴番号からなるレコードを複数格納して構成される２次元のデータテーブルである。１つの部品番号で識別される１つの部品が、このデータテーブルの１行のレコードのデータに対応する。
【００２４】
図４に示す部品情報マスタ１２２は、図２に示す情報処理装置１１に対応する部品情報マスタの一例であり、部品を識別する部品番号４０２、部品名４０３、部品の品番４０４、部品の製造番号４０５、部品の交換履歴を示す交換履歴番号４０６から構成される。
【００２５】
前述した部品履歴マスタ１２１及び部品情報マスタ１２２は、情報処理装置１台毎に備えられるものであり、図３、図４には示していないが、それぞれのマスタとしてのテーブルには、情報処理装置を識別するための装置名称、装置番号等の装置識別情報が付与されている。また、これらのマスタは、情報処理装置が最初に立ち上げられたときに、後述する処理により初期状態を示すマスタとして作成される。
【００２６】
部品交換特定部１２３は、情報処理装置１１から送信されて部品情報受信部１２７で受信されて、制御部１２６を介して受け取った部品情報が交換された部品情報であるか否か、追加された部品情報であるか否か、または、交換されていない部品情報であるか否かを特定する。
【００２７】
部品履歴マスタ更新部１２４は、制御部１２６の指示及び部品交換特定部１２３からの部品の特定結果から、制御部１２６から送信された部品情報と、部品番号とを用いて部品情報マスタ１２２から読み出した交換履歴番号を基に部品履歴マスタ１２１に部品番号と、部品の交換履歴を示す情報と、交換履歴番号とのレコードを追加して書き込む。
【００２８】
部品情報マスタ更新部１２５は、制御部１２６の指示及び部品履歴マスタ更新部１２４から受け取った部品番号と最新の交換履歴番号とを用いて、部品履歴マスタ１２１から部品情報のデータを読み出し、部品情報マスタ１２２で該当する部品番号の部品情報に読み出したデータを上書きする。
【００２９】
制御部１２６は、部品交換特定部１２３、部品履歴マスタ更新部１２４、部品情報マスタ更新部１２５に処理の指示を行うと共に、部品交換特定部１２３へ部品情報受信部１２７から受け取った部品情報と日付情報とを渡す。
【００３０】
部品情報受信部１２７は、情報処理装置１１の部品情報送信部１１３から部品情報、日付情報及び装置識別情報とを受信し、これらの情報を制御部１２６へ渡す。
【００３１】
図５は部品の交換が行われた場合の情報処理装置１１での処理動作を説明するフローチャートであり、次に、これについて説明する。なお、ここで説明する処理の例は、図２に示す情報処理装置１１の部品「ＣＰＵ１」２２２が交換されたものとした例である。また、この処理の開始時、情報処理装置１１は、その電源はＯＮとされていて、動作可能な状態にあるものとする。
【００３２】
（１）ここでの処理が開始されると、部品交換検知部１１１は、図２に示す情報処理装置１１が再起動されたか否かを判定し、再起動されていなかった場合、部品の抜き差しが行われたか否かを判定する。情報処理装置が再起動されていなかった場合、かつ、部品の抜き差しも行われていなかった場合、何もせずにここでの処理を終了する（ステップＳ５０１、Ｓ５０２）。
【００３３】
（２）ステップＳ５０１で、情報処理装置が再起動されたと判定した場合、あるいは、ステップＳ５０２で、部品の抜き差しが行われたと判定した場合、部品交換検知部１１１は、部品情報取得部１１２に、情報処理装置１１内の全部品の部品情報と日付情報との取得を指示し、この指示に基づいて、部品情報取得部１１２は、情報処理装置１１内の全部品の部品情報をＩＣタグから取得し、また、日付情報を取得する（ステップＳ５０３）。
【００３４】
（３）その後、部品情報送信部１１３は、部品情報取得部１１２により取得された情報処理装置１１内の全部品の部品情報と日付情報とを、自情報処理装置の装置識別情報と共に部品交換履歴管理装置へ送信し、ここでの処理を終了する（ステップＳ５０４）。
【００３５】
一般に、情報処理装置の部品交換方法としては、情報処理装置の電源をＯＦＦした状態で交換する方法と情報処理装置の電源をＯＮした状態で交換する方法との２種類の方法がある。図５により説明したフローのステップＳ５０１での判定処理は、情報処理装置の電源がＯＦＦとされた状態で部品交換が行われたことに対応するためのものであり、また、ステップＳ５０２での判定処理は、情報処理装置の電源をＯＮした状態で部品交換が行われたことに対応するためのものである。
【００３６】
図６は図５に示すフローのステップＳ５０３の処理で取得した情報処理装置の部品情報と日付情報との構成例を示す図である。図６（ａ）に示す部品情報６０１と図６（ｂ）に示す日付情報６１１とは、図２に示す情報処理装置１１に対応する部品情報の例である。部品情報６０１は、部品を識別する部品番号６０２、部品名６０３、部品の品番６０４、部品の製造番号６０５から構成される２次元のテーブルである。ここで、行６０６のレコードが、部品交換された部品情報である。日付情報６１１は、部品を交換した日付６１２から構成される。
【００３７】
図７は情報処理装置１１から部品情報を受け取った部品交換履歴管理装置１２での処理動作を説明するフローチャートであり、次に、これについて説明する。
【００３８】
（１）ここでの処理が開始されると、部品情報受信部１２７は、情報処理装置１１の部品情報送信部１１３から通知された部品情報と日付情報、ここでは、図６（ｂ）に示したように「０７０３２６」とを、装置識別情報と共に受け取り、制御部１２６へ通知する（ステップＳ７０１）。
【００３９】
（２）制御部１２６は、通知された日付情報、ここでは「０７０３２６」と、部品情報の部品番号毎の部品情報（部品番号も含む）を１つずつ部品交換特定部１２３へ出力し、部品交換特定部１２３は、制御部１２６から受け取った部品情報が交換された部品情報であるか否か、追加された部品情報であるか否か、または、交換されていない部品情報あるか否かを、装置識別情報に対応する部品情報マスタ１２２を参照して特定（この処理については図８により後述する）し、特定結果を部品履歴マスタ更新部１２４に送信する（ステップＳ７０２）。
【００４０】
（３）部品履歴マスタ更新部１２４は、ステップＳ７０２で判定された特定結果が、制御部１２６から受け取った部品情報が交換された部品情報であった場合、部品番号「０００１」を用いて、部品情報マスタ１２２から交換履歴番号のデータを読み出す（ステップＳ７０３）。
【００４１】
（４）次に、読み出した交換履歴番号に「１」を加えた交換履歴番号、ここでは、「２」と、制御部１２６から受け取った部品情報の部品番号「０００１」、部品名「ＣＰＵ１」、品番「６８６０４３７０」、製造番号「Ｃ０２４５０１００」、変更日を日付情報「０７０３２６」としたレコードを作成して、そのレコードを部品履歴マスタ１２１に追加して書き込みを行う。また、部品履歴マスタ更新部１２４は、部品情報の部品番号「０００１」と、交換履歴番号「２」とを部品情報マスタ更新部１２５に通知する（ステップＳ７０４）。
【００４２】
（５）部品履歴マスタ更新部１２４は、ステップＳ７０２で判定された特定結果が、制御部１２６から受け取った部品情報が追加された部品情報であった場合、制御部１２６から受け取った部品情報の部品番号、部品名、品番、製造番号、交換日としての日付情報、履歴管理番号を「１」としたレコードを作成して、そのレコードを部品履歴マスタ１２１に追加して書き込みを行う。また、部品履歴マスタ更新部１２４は、部品情報の部品番号と、交換履歴番号を部品情報マスタ更新部１２５に通知する（ステップＳ７０５）。
【００４３】
（６）ステップＳ７０４またはＳ７０５の処理で、部品履歴マスタ更新部１２４からの通知を受けた部品情報マスタ更新部１２５は、部品履歴マスタ更新部１２４から受け取った部品番号「０００１」と交換履歴番号「２」とを用いて、装置識別情報に対応した部品履歴マスタ１２１から部品番号、部品名、品番、製造番号、交換履歴番号のデータを読み出し、読み出したデータを、部品番号「０００１」を用いて、部品情報マスタ１２２の部品番号「０００１」の該当する部品情報に上書きする（ステップＳ７０６、Ｓ７０７）。
【００４４】
（７）ステップＳ７０７の処理の後、部品情報マスタ更新部１２５は、部品の更新完了を制御部１２６に通知し、また、ステップＳ７０２で判定された特定結果が、制御部１２６から受け取った部品情報が交換されていない部品情報であった場合、部品の更新完了を制御部１２６に通知する。制御部１２６は、部品の更新完了を受け取ったら、全ての部品情報についての処理が終了したか否かを判定し、終了していなければ、日付情報と次の部品情報（部品番号毎）を部品交換特定部１２３へ出力して、ステップＳ７０２からの処理を繰り返し続けさせ、全ての部品情報についての処理が終了していた場合、ここでの処理を終了する（ステップＳ７０８）。
【００４５】
図８は図７に示すフローのステップＳ７０２での処理の詳細を説明するフローチャートであり、次に、これについて説明する。
【００４６】
（１）ここでの処理が開始されると、部品交換特定部１２３は、制御部１２６から受け取った部品情報の部品番号、ここでは部品番号「０００１」により、部品情報マスタ１２２より部品番号「０００１」を持つデータの抽出を行う（ステップＳ８０１）。
【００４７】
（２）部品情報マスタ１２２から部品情報が抽出できた場合は、抽出されたデータと制御部１２６から受け取った部品情報とを比較し、部品情報に違いがある場合、交換された部品情報であると特定し、部品情報に違いがない場合、交換されていない部品情報であると特定して、部品履歴マスタ更新部１２４へその特定結果を通知する（ステップＳ８０２）。
【００４８】
（３）ステップＳ８０１のデータの抽出処理で、部品番号によるデータの抽出ができなかった場合、制御部１２６から受け取った部品情報が追加された部品情報であると特定して、部品履歴マスタ更新部１２４へその特定結果を通知する（ステップＳ８０３）。
【００４９】
図９は図７、図８により説明した部品交換履歴管理装置での処理が行われた後の部品履歴マスタの例を示す図である。説明している例では、部品番号「０００１」を持つ部品「ＣＰＵ１」が交換されたとしているので、図９に示す部品履歴マスタ９０１には、この部品の部品情報を示すレコード９１０が図３に示した部品履歴マスタ１２１に追加されている。そして、このレコードの交換履歴番号９０７には「２」が格納される。
【００５０】
図１０は図７、図８により説明した部品交換履歴管理装置での処理が行われた後の部品情報マスタの例を示す図である。説明している例では、部品番号「０００１」を持つ部品「ＣＰＵ１」が交換されたとしているので、図１０に示す部品履歴マスタ１００１では、部品番号「０００１」を持つ部品「ＣＰＵ１」の部品情報のレコード１００８の製造番号１００５が「Ｃ０２４５０１００」に変更され、交換履歴番号１００６が「２」に設定された。
【００５１】
前述した本発明の実施形態によれば、部品情報マスタには、各部品の最新部品情報が記憶されており、部品履歴マスタには、各部品の交換した日付、変更履歴番号、過去の部品履歴情報を記憶することができる。また、予め部品情報マスタ、部品履歴マスタを準備することなく、情報処理装置で取得した部品情報から部品情報マスタと部品履歴マスタとを作成することができる。但し、履歴管理を開始した日の部品情報が部品情報マスタと部品履歴マスタとの基データとなるため、それ以前に発生した部品交換履歴情報を把握することはできない。
【００５２】
前述した本発明の実施形態は、情報処理装置を構成する部品情報を各部品に取り付けられたＲＦＩＤ等のＩＣタグから取得するとして説明したが、部品情報の取得は、このような方法に限られることはなく、例えば、ソフトウェアにより、各部品が持つＭＡＣアドレスを取得するようにしてもよい。
【図面の簡単な説明】
【００５３】
【図１】本発明の一実施形態による情報処理装置の部品交換履歴管理システムの構成を示すブロック図である。
【図２】被管理装置としての情報処理装置の部品構成の例を示す図である。
【図３】部品履歴マスタの構成例を示す図である。
【図４】部品情報マスタの構成例を示す図である。
【図５】部品の交換が行われた場合の情報処理装置での処理動作を説明するフローチャートである。
【図６】図５に示すフローのステップＳ５０３の処理で取得した情報処理装置の部品情報と日付情報との構成例を示す図である。
【図７】情報処理装置から部品情報を受け取った部品交換履歴管理装置での処理動作を説明するフローチャートである。
【図８】図７に示すフローのステップＳ７０２での処理の詳細を説明するフローチャートである。
【図９】部品交換履歴管理装置での処理が行われた後の部品履歴マスタの例を示す図である。
【図１０】部品交換履歴管理装置での処理が行われた後の部品情報マスタの例を示す図である。
【符号の説明】
【００５４】
１１  情報処理装置
１２  部品交換履歴管理装置
１１１  部品交換検知部
１１２  部品情報取得部
１１３  部品情報送信部
１２１  部品履歴マスタ
１２２  部品情報マスタ
１２３  部品交換特定部
１２４  部品履歴マスタ更新部
１２５  部品情報マスタ更新部
１２６  制御部
１２７  部品情報受信部
【図１】
2009009492.tif 000003
【図２】
2009009492.tif 000004
【図３】
2009009492.tif 000005
【図４】
2009009492.tif 000006
【図５】
2009009492.tif 000007
【図６】
2009009492.tif 000008
【図７】
2009009492.tif 000009
【図８】
2009009492.tif 000010
【図９】
2009009492.tif 000011
【図１０】
2009009492.tif 000012